(57)【要約】【課題】  限られたユニット寸法の中に設置する熱交換器を有効に利用できるルームエアコンを提供する。【解決手段】  複数の曲げ部を有する多面熱交換器を搭載するルームエアコンの室内機において、流入する空気の風速が相対的に低い部分の熱交換器のフィンの除湿水流下方向の長さを、隣接した熱交換器部分よりも短くし、寸法差により生じる空間部分に電気品収納箱４を設置した。これにより、従来熱交換器の側方に配置されていた電気品収納箱４まで熱交換器全体を延ばすことができ、性能を向上させる。【選択図】図９
2008281214.tif 000002
【特許請求の範囲】
【請求項１】
室内ユニット内に設けられた貫流ファンと、この貫流ファンの上流に位置し前面及び背面に配置された室内熱交換器と、前記前面熱交換器の下部に設けられた露受皿とを備えた空気調和機において、前記露受皿の下部の内部に電気品が収納される前記室内ユニットの幅方向に長い電気品収納箱を配置した空気調和機。
【請求項２】
請求項１において、前記電気品収納箱に隣接して熱交換器が配置された空気調和機。
【請求項３】
請求項２において、前記電気品収納箱の上部に配置された熱交換器のフィンピッチを前記電気品収納箱に隣接して配置された熱交換器のフィンピッチより大きくした空気調和機。
【発明の詳細な説明】
【技術分野】
【０００１】
本発明は、ルームエアコンに関する。
【背景技術】
【０００２】
図１５と図１６は、従来のルームエアコン用室内機の一例を示した正面図と断面図である。従来のルームエアコン用室内機には、図１５に示すような室内ユニット５１内に室内熱交換器５２を設置し、室内ユニット５１と室内熱交換器５２間に生ずる左右若しくは一方の空間に電気品収納箱５４を収納した構造を有するものがある。室内空気を循環させるための貫流ファン５３は、図１６に示すように、縦断面形状が多段に曲折した室内熱交換器５２の下流側に設置されている。
【０００３】
また、ルームエアコン用室内機を小型化する技術としては、特許文献１及び特許文献２に記載されていた技術が知られている。
【０００４】
特許文献１には、熱交換器と、この熱交換器の上流に設けられるグリルと、前記熱交換器の下流に設けられるファンと、前記熱交換器を通過した空気を吹出し口に導く吹出しケーシングとを内蔵するルームエアコンにおいて、前記熱交換器よりも下流であって、前記ファンよりも上部に電気品収納箱を配置することが開示されている。
【０００５】
特許文献２には、電装品ユニットの長手方向寸法が、室内ケーシング又は吹出し口長手方向寸法の少なくとも１／３以上の長さになるように、電装品ユニットを配置し、室内機ケーシング内に細長い電装品ユニットを配置することによって、ルームエアコン用室内機を小型化することが開示されている。
【０００６】
【特許文献１】特開２００２−１５６１３４号公報
【特許文献２】特開２００２−２０６７７０号公報
【発明の開示】
【発明が解決しようとする課題】
【０００７】
近年、ルームエアコン用室内機は、美観維持のために奥行方向を薄く制限される傾向にある。このような事情に対応するため、室内ユニットの奥行を薄くした場合、熱交換器の実装面積が縮小し、ルームエアコンの消費電力が増大する。この結果、省エネ性能が低下するといった問題を有している。一方、室内ユニットの幅、及び高さを増加させた場合、室内ユニットの設置面積が増大するため、美観が低下するといった問題を有している。
【０００８】
この問題を解決するため、特許文献１及び特許文献２に記載の技術は、室内熱交換器の横に設置していた縦長の電気品収納箱を、横長にして室内熱交換器前面に設置することにより、室内熱交換器の幅を広くすることを可能にしている。このため、熱交換器の実装面積を増大させることができる。しかし、電気品収納箱を熱交換器前面へ設置するため、室内ユニットの奥行を増大させることとなるため、上記問題に応えることができないという問題がある。
【０００９】
なお、熱交換性能を向上させるために熱交換器を通過する空気の風量を増加させることも考えられるが、ファンの騒音が増大するといった問題も生ずる。
【００１０】
本発明の目的は、室内熱交換器実装面積を確保し、室内熱交換器を有効に利用でき、室内ユニットの薄型化を行うことである。
【課題を解決するための手段】
【００１１】
上記目的は、室内ユニット内に設けられた貫流ファンと、この貫流ファンの上流に位置し前面及び背面に配置された室内熱交換器と、前記前面熱交換器の下部に設けられた露受皿とを備えた空気調和機において、前記露受皿の下部の内部に電気品が収納される前記室内ユニットの幅方向に長い電気品収納箱を配置することにより達成される。
【発明の効果】
【００１２】
本発明によれば、室内熱交換器実装面積を確保し、室内熱交換器を有効に利用でき、室内ユニットの薄型化を行うことができる。
【発明を実施するための最良の形態】
【００１３】
以下、本発明の一実施例を図１，図２及び図３を用いて説明する。図１は、本実施例のユニットの正面図、図２はユニットの縦断面図、図３はユニットの斜視図である。
【００１４】
図１に示すように、室内ユニット１の内部に、室内熱交換器２が設けられている。室内熱交換器２は、図２に示すように、前面下部熱交換器２ａ，２ｂ、前面上部熱交換器２ｃ及び背面部熱交換器２ｄに分割されて構成されている。そして、縦断面で見ると前面下部熱交換器２ａと前面下部熱交換器２ｂとの間で曲げられており、前面下部熱交換器２ｂと前面上部熱交換器２ｃとの間で曲げられており、前面上部熱交換器２ｃと背面部熱交換器２ｄとの間で曲げられ、全体形状としてデルタ形状をなしている。曲げられている部分は、折り曲げて形成しても構わないし、夫々独立した熱交換器を所定の角度で固定して、結果として曲がって見えるようにしても構わない。
【００１５】
熱交換器２は室内ユニット１の長手方向にその幅寸法より少し小さい寸法で室内ユニット１の端面に近接して設置されている。貫流ファン３は、室内ユニット１の幅方向一方の端部に設けられた軸受１４により支持され、他端部をモータ１３により支持されて、このモータ１３により回転駆動される。
【００１６】
また、図２に示すように空気は、上流側より吸込口１２，熱交換器２，貫流ファン３，背面側風路を形成するケーシング７，前面側風路を形成し貫流ファン３近傍にノーズが形成された風路形成板８を流れ、吹出口９から吐出される。
【００１７】
室内ユニット１の吸込口１２には吸込グリル１１が設置され、室内ユニット１の吹出口９には、横風向板１５及び、縦風向板１６が設けられている。
【００１８】
貫流ファン３が回転すると、室内の空気は上面部の吸込口１２から吸い込まれ、室内熱交換器２ａ，２ｂ，２ｃ，２ｄと熱交換した後、吹出口９から吹出される。
【００１９】
前面下部熱交換器２ａの下方には冷房運転時や除湿運転時に室内熱交換器２によって凝縮されたドレン水を受けて室内ユニット外部に排出するための前面部露受皿５ａが設けられている。この前面部露受皿５ａの下部には、室内ユニットの幅方向に長く内部に電気品を収納した電気品収納箱４が設けられている。そして、この電気品収納箱４の下部に風路形成板８が設けられている。
【００２０】
元々前面下部熱交換器２ａは、電気品収納箱４が存在している位置まで延びており、風路形成板８の位置に前面部露受皿５ａがあったのであるが、電気品収納箱４が配置されている付近は相対的に風速が低い部分であり、この位置に配置された前面下部熱交換器２ａの熱交換性能は他の熱交換器部分に比べて熱交換性能が劣る。従って、この部分の全体の熱交換に占める割合は低いものとなっている。
【００２１】
そこで、相対的に風速が低い部分である前面下部熱交換器２ａの高さを縮小して、この部分に、室内熱交換器２の横に配置されていた電気品収納箱を室内ユニット１の幅方向に長い電気品収納箱４を配置したので、横にあった電気品収納箱が存在したスペースまで室内熱交換器２ａ，２ｂ，２ｃ，２ｄを室内ユニット１の長手方向に延長させることができる。この結果、熱交換性能が良好な熱交換器部分が広がるため、熱交換性能を全体として上昇させることができる。
【００２２】
また、本実施例においては、前面下部熱交換器２ａ，２ｂ及び前面上部熱交換器２ｃで発生した露を受けるための前面部露受皿５ａを、電気品収納箱４上部と前面下部熱交換器２ａ下部間の空間に設置している。前面部露受皿５ａは前面下部熱交換器２ａ，２ｂ及び前面上部熱交換器２ｃで発生する凝縮水を貯留させるために、図２に示すように室内ユニット１の前面化粧板１７の近傍まで延長させて形成されている。
【００２３】
以上の構成により、相対的に風速が高い部分の熱交換器長手方向の全長を拡大させ、相対的に風速が低い部分である前面下部熱交換器２ａの高さを縮小するため、熱交換器実装面積を確保することが容易になる。また、貫流ファン３の長手方向の全長を拡大させることができる。この結果、相対的に風速が高い部分に室内熱交換器２を設置でき、熱交換器の交換熱量が増大する。一方、貫流ファン３の全長を拡大することができるため、貫流ファン３の高風量化を実現できる。また、前面部露受皿５ａを前面下部熱交換器２ａと電気品収納箱４の間に設置することにより、電気品収納箱４が露により濡れることを防止できる。
【００２４】
本発明の第２の実施例を図４，図５と図６により説明する。図４は本実施例のユニットの正面図、図５はユニットの縦断面図、図６はユニットの斜視図である。尚、第１の実施例と同様の構成の部分は説明を省略して記載する。
【００２５】
本実施例においても第１の実施例の場合と同様に、相対的に風速が低い部分である背面部熱交換器２ｄの高さを縮小させ、背面部露受皿６ａ，吹出ケーシング７、及び室内ユニット上流側壁１０で作られる空間に電気品収納箱４を室内ユニット１の幅方向に横長にして配置する。この結果、室内熱交換器２ａ，２ｂ，２ｃ，２ｄを室内ユニット１の長手方向へ延伸させることができる。
【００２６】
以上の構成によれば、第１の実施例と同様の効果を得ることができる。さらに、背面部露受皿６ａと室内ユニット１の上流側壁１０及び吹出ケーシング７を一体で形成できるため、ケーシングの低コスト化が可能となる。
【００２７】
本発明の第３の実施例を図７，図８と図９により説明する。図７は本実施例のユニットの正面図、図８はユニットの縦断面図、図９はユニットの斜視図である。尚、第１及び第２の実施例と同様の構成の部分は説明を省略して記載する。
【００２８】
本実施例においても第１の実施例の場合と同様に、図７、及び図９に示すように、相対的に風速が低い部分である前面下部熱交換器２ａを２０ａと２０ｂで構成し、前面左半部熱交換器２０ａの下部であって前面右半部熱交換器２０ｂの横に横長の電気品収納箱４を配置した。これにより室内熱交換器２を室内ユニット１の長手方向へ延長させることができる（前面下部熱交換器２０ａのフィンの除湿水流下方向の長さを隣接した熱交換器20ｂよりも短くした）。
【００２９】
なお、このとき、前面左半部熱交換器２０ａのフィンピッチｆｐ２０ａと前面右半部熱交換器２０ｂのフィンピッチｆｐ２０ｂはｆｐ２０ａ≧ｆｐ２０ｂとなるように構成する。これにより、これら室内熱交換器を通過する風量が増加するので交換熱量を増やすことができる。
【００３０】
詳細を説明する。図７，図８、及び図９に示すように、電気品収納箱４は前面左半部熱交換器２０ａ下部と風路形成板８上部間の空間に設置される。電気品収納箱４の隣に前面右半部熱交換器２０ｂが配置される。露受皿５は図１７に示すように、前面上部露受皿
５ｂと前面下部露受皿５ｃによって形成される。前面上部露受皿５ｂは前面左半部熱交換器２０ａ下部と電気品収納箱４の上部間の空間に設置される。さらに、前面上部露受皿
５ｂの側壁は前面左半部熱交換器２０ａとそれより下方に延びた前面右半部熱交換器20ｂを分離するように形成されている。前面下部露受皿５ｃは第１の実施例と同様に風路形成板８と一体で形成される。前面部露受皿５は前面左半部熱交換器２０ａ，前面右半部熱交換器２０ｂ，前面下部熱交換器２ｂ及び前面上部熱交換器２ｃで発生する凝縮水を貯留させるために、図８に示すように室内ユニット１の前面化粧板１７の近傍まで延長させて形成される。尚、前面上部露受皿５ｂの底面に、壁の近傍に凝縮水の排出溝２１を設置している。凝縮水の排出溝２１は前面上部露受皿５ｂの底面と前面下部露受皿５ｃを接続するように構成されている。
【００３１】
以上の構成によれば、第１の実施例と同様の効果を得ることができる。また、前面左半部熱交換器２０ａ，前面右半部熱交換器２０ｂのフィンピッチｆｐ２０ａ，ｆｐ２０ｂをｆｐ２０ａ≧ｆｐ２０ｂで構成するため、軸方向の風速抵抗分布をフィンピッチの分布により抑制することができる。
【００３２】
本発明の第四の実施例を図１０，図１１と図１２により説明する。図１０は本実施例の室内ユニットの正面図、図１１は室内ユニットの縦断面図、図１２は室内ユニットの斜視図である。尚、前記実施例と同様の構成，効果の部分は説明を省略して記載する。
【００３３】
本実施例においても第二の実施例の場合と同様に、室内熱交換器２ａ，２ｂ，２ｃ，
２ｄを室内ユニット１の長手方向へ延長させるため、図１０、及び図１２に示すように、相対的に風速が低い部分である背面左半部熱交換器２２ａと背面右半部熱交換器２２ｂをフィン長手方向を短くして構成する。このとき、背面左半部熱交換器２２ａのフィンピッチｆｐ２２ａと背面右半部熱交換器２２ｂのフィンピッチｆｐ２２ｂはｆｐ２２ａ≧
ｆｐ２２ｂとなるように構成する。
【００３４】
また、室内ユニット１の幅方向に細長く形成した電気品収納箱４は図１０，図１１、及び図１２に示すように、背面部露受皿６ｂ，吹出ケーシング７、及び室内ユニット上流側壁１０で作られる空間に設置される。
【００３５】
露受皿は図１８に示すように、背面部露受皿６ｂと背面部露受皿６ｃによって形成される。背面部露受皿６ｂは背面左半部熱交換器２２ａ下部と電気品収納箱４の上部との間の空間に設置される。さらに、背面部露受皿６ｂの側壁は背面左半部熱交換器２２ａと背面右半部熱交換器２２ｂを分離するように形成される。背面部露受皿６ｃは背面右半部熱交換器２２ｂの下部に設置される。背面部露受皿６ｂ，６ｃは第二の実施例と同様に室内ユニット１の上流側壁１０及び吹出ケーシング７を一体で形成できるため、ケーシングの低コスト化を図ることができる。
【００３６】
本発明の第五の実施例を図１３により説明する。図１３は本実施例のユニット斜視図である。本実施例のユニットの正面図と縦断面図はそれぞれ図１，図２と同様である。尚、前記実施例と同様の構成，効果の部分は説明を省略して記載する。
【００３７】
本実施例においては、前面下部熱交換器２ａ，２ｂ、前面上部熱交換器２ｃ及び背面部熱交換器２ｄのフィンピッチｆｐ２ａ，ｆｐ２ｂ，ｆｐ２ｃ，ｆｐ２ｄをｆｐ２ａ≧
ｆｐ２ｂ≧ｆｐ２ｃ≧ｆｐ２ｄとなるように構成する。
【００３８】
以上の構成によれば、第一の実施例と同様の効果を得ることができると共に、前面下部熱交換器２ａ，２ｂ、前面上部熱交換器２ｃ及び背面部熱交換器２ｄに流入する風速分布の均一化及び通風抵抗の均一化を図ることができ、交換熱量が増大する。
【００３９】
本発明の第六の実施例を図１４により説明する。図１４は本実施例の室内ユニット斜視図である。本実施例の室内ユニットの正面図と縦断面図はそれぞれ図７，図８と同様である。尚、前記実施例と同様の構成，効果の部分は説明を省略して記載する。
【００４０】
本実施例においては、前面左半部熱交換器２０ａ，前面右半部熱交換器２０ｂ，前面上部熱交換器２ｃ及び背面部熱交換器２ｄのフィンピッチｆｐ２０ａ,ｆｐ２０ｂ,ｆｐ２ｃ，ｆｐ２ｄをｆｐ２０ａ≧ｆｐ２０ｂ≧ｆｐ２ｃ≧ｆｐ２ｄとなるように構成する。
【００４１】
以上の構成によれば、第三の実施例と同様の効果を得ることができると共に、前面左半部熱交換器２０ａ，前面右半部熱交換器２０ｂ，前面下部熱交換器２ｂ，前面上部熱交換器２ｃ及び背面部熱交換器２ｄに流入する風速分布の均一化及び通風抵抗の均一化を図ることができ、交換熱量が増大する。
【００４２】
以上、本実施例によれば、室内ユニットの薄型設計が可能となる他、流入する空気の風速が高い部分に熱交換器を設置できるため、熱交換器を有効に使うことができる。また、ファンの設置面積を拡大することができるため、ファンの高風量，低騒音化が実現できる。また、ファン軸方向と周方向の風速分布を均一化することができるため、室内熱交換器の交換熱量を増大させることができる。
【図面の簡単な説明】
【００４３】
【図１】本発明の第一実施例であるユニットの正面図。
【図２】第一実施例のユニットの縦断面図。
【図３】第一実施例のユニットの斜視図。
【図４】本発明の第二実施例であるユニットの正面図。
【図５】第二実施例のユニットの縦断面図。
【図６】第二実施例のユニットの斜視図。
【図７】本発明の第三実施例であるユニットの正面図。
【図８】第三実施例のユニットの縦断面図。
【図９】第三実施例のユニットの斜視図。
【図１０】本発明の第四実施例であるユニットの正面図。
【図１１】第四実施例のユニットの縦断面図。
【図１２】第四実施例のユニットの斜視図。
【図１３】本発明の第五実施例であるユニットの斜視図。
【図１４】本発明の第六実施例であるユニットの斜視図。
【図１５】従来の縦型電気品収納箱を設置したユニットの正面図。
【図１６】同従来例のユニットの縦断面図。
【図１７】第三実施例の前面部露受皿の拡大図。
【図１８】第四実施例の背面部露受皿の拡大図。
【符号の説明】
【００４４】
１，５１  室内ユニット
２，５２  室内熱交換器
２ａ，２ｂ，５２ａ  前面下部熱交換器
２ｃ，５２ｃ  前面上部熱交換器
２ｄ，５２ｄ  背面部熱交換器
３，５３  貫流ファン
４，５４  電気品収納箱
５ａ，５ｂ，５ｃ  前面部露受皿
６ａ，６ｂ，６ｃ  背面部露受皿
７  吹出ケーシング
８  風路形成板
９  吹出口
１０  ユニット上流側壁
１１  グリル
１２  吸込口
１３  モータ
１４  軸受
１５  横向風板
１６  縦向風板
１７  前面化粧板
１８  ユニットの背面壁
１９  ユニットの左端面
２０ａ  前面左半部熱交換器
２０ｂ  前面右半部熱交換器
２１  凝縮水の排出溝
２２ａ  背面左半部熱交換器
２２ｂ  背面右半部熱交換器
【図１】
2008281214.tif 000003
【図２】
2008281214.tif 000004
【図３】
2008281214.tif 000005
【図４】
2008281214.tif 000006
【図５】
2008281214.tif 000007
【図６】
2008281214.tif 000008
【図７】
2008281214.tif 000009
【図８】
2008281214.tif 000010
【図９】
2008281214.tif 000011
【図１０】
2008281214.tif 000012
【図１１】
2008281214.tif 000013
【図１２】
2008281214.tif 000014
【図１３】
2008281214.tif 000015
【図１４】
2008281214.tif 000016
【図１５】
2008281214.tif 000017
【図１６】
2008281214.tif 000018
【図１７】
2008281214.tif 000019
【図１８】
2008281214.tif 000020